(57)【特許請求の範囲】
【請求項１】
互いに対向して隣接する建物構造体間に取り付けられ、該建物構造体に支持される床面間の段差を調整する床段差調整具であって、
隣接するそれぞれの建物構造体に上下方向の相対位置をずらして固着される一対の固定板と、これら固定板の上下方向の相対位置を調整する調整手段とを備え、前記固定板を、前記建物構造体に対して、装脱着可能とする着脱手段を有し、該着脱手段は、前記建物構造体の床構造体側縁部に設けられ、上，下側フランジ部を少なくとも一対、外側方に略水平に突設することにより、対向面側を開放して断面略コ字状を呈する梁材に対して、外側方から当接して、前記上側フランジ部に対しては固定ボルトによって固定される固定板を有すると共に、前記下側フランジ部の上面部に当接する係止片部を有することを特徴とする床段差調整具。
【請求項２】
前記建物構造体が、水平方向に互いに対向して隣接する床構造体であることを特徴とする請求項１記載の床段差調整具。
【請求項３】
前記調整手段が、一方の固定板に挿通・螺合された軸部先端で他方の固定板を押し下げる押しボルトと、一方の固定板に頭部が回動自在に係止されると共に軸部が他方の固定板に挿通・螺合され、軸部の回動によって他方の固定板を引き上げる引きボルトとからなることを特徴とする請求項１または２記載の床段差調整具。
【請求項４】
前記調整手段が、両固定板に挿通・螺合されて両固定板を連結するネジ棒と、工具で回動可能になされたネジ棒の上端部から螺入されたナットとからなり、前記一方の固定板に螺合されるネジ部が、他方の固定板に螺合されるネジ部に対して逆ネジになされていることを特徴とする請求項１または２記載の床段差調整具。
【請求項５】
前記係止片部と、前記下側フランジ部との間の水平方向の移動を阻止する外れ防止手段が設けられていることを特徴とする請求項１記載の床段差調整具。
【請求項６】
前記床段差調整具を複数個、隣接する建物ユニットの床構造体間に沿って取り付け、隣接する建物ユニットの床面間の段差を調整することを特徴とする請求項１乃至５のうちいずれか一項に記載の床段差調整方法。
【発明の詳細な説明】
【０００１】
【発明の属する技術分野】
本発明は、床段差調整具、およびそれを利用した床段差調整方法に関する。
【０００２】
【従来の技術】
従来、特開平９−３２１１８号公報に記載されている建物ユニットのレベル調整具は、水平方向に隣接する二つの建物ユニットの互いに対向する床梁間に取り付けられるものであって、隣接する床梁の上面間と下面間に掛け渡して係止される上下の板材を、ボルトとナットによって締結し、梁間に生じる高さレベルの違いを解消できるようにしたものである。
【０００３】
また、特開平３−１４４０３６号公報に記載のユニット接合構造は、左右の下階建物ユニットの天井梁の間隙及び左右の上階建物ユニットの床梁の間隙に接合体を介装し、この接合体の上下の側壁部にそれぞれ左右の天井梁、床梁を接合することにより、剛性の増大を図るようにしたものである。
【０００４】
【発明が解決しようとする課題】
しかしながら、前記の従来技術において、特開平９−３２１１８号公報に記載のものでは、梁間に生じる高さレベルの違いを解消できるが、この梁に取り付けられる小梁、小梁間に掛け渡される木製の床根太、床根太に貼設される床面材、等の床部材によって床面が形成される場合、これら床部材の精度や取付け精度によって生じる床面の段差を解消することができない。
【０００５】
また、特開平３−１４４０３６号公報に記載のものは、左右天井梁と、床梁とを接合するだけであるから、剛性の増大を図ることはできるが、床面の段差を解消することはできない。
【０００６】
本発明は、このような従来技術における問題点に着目してなされたものであり、床面の段差を解消し、剛性の増大を図ることのできる床段差調整具と、それを利用した床段差調整方法を提供することを目的とする。
【０００７】
【課題を解決するための手段】
前記目的を達成するために、請求項１記載の発明は、互いに対向して隣接する建物構造体間に取り付けられ、該建物構造体に支持される床面間の段差を調整する床段差調整具であって、隣接するそれぞれの建物構造体に上下方向の相対位置をずらして固着される一対の固定板と、これら固定板の上下方向の相対位置を調整する調整手段とを備え、前記固定板を、前記建物構造体に対して、装脱着可能とする着脱手段を有し、該着脱手段は、前記建物構造体の床構造体側縁部に設けられ、上，下側フランジ部を少なくとも一対、外側方に略水平に突設することにより、対向面側を開放して断面略コ字状を呈する梁材に対して、外側方から当接して、前記上側フランジ部に対しては固定ボルトによって固定される固定板を有すると共に、前記下側フランジ部の上面部に当接する係止片部を有する床段差調整具を特徴としている。
【０００８】
また、前記請求項１記載の発明において、建物構造体としては、例えば、隣接配置してユニット建物を構成する建物ユニット、隣接配置してバルコニーを構成するバルコニーユニット、あるいはこれらの組み合わせたもの、パネル工法建物のパネル等を挙げることができる。
【０００９】
前記建物ユニットとしては、柱と梁とから箱型に組まれる骨組み構造体を備えた軸組工法のもの、床パネルの周縁部に壁パネルを立設して構成される壁式工法のもの、いずれであってもよい。
【００１０】
このように構成された請求項１に記載のものでは、隣接するそれぞれの建物構造体に上下方向の相対位置をずらして固着される一対の固定板と、これら固定板の上下方向の相対位置を調整する調整手段とを備えているので、この調整手段によって固定板の上下方向の相対位置を調整すれば、固定板を固着する建物構造体の上下方向の相対位置も調整される。
【００１１】
前記調整によって、建物構造体に支持される床面間に、床部材の精度や取付け精度の違いによって床段差が生じても、この床段差を解消できる。
また、前記着脱手段によって、前記固定板が前記建物構造体に対して装脱着される。
このため、床段差を調整する位置を変更できるので、必要に応じて適宜前記床段差調整具を装着して、段差を調整できる。
更に、前記着脱手段は、前記建物構造体の床構造体側縁部に設けられ、上，下側フランジ部を少なくとも一対、外側方に略水平に突設することにより、対向面側を開放して断面略コ字状を呈する梁材に対して、外側方から当接して、前記上側フランジ部に対しては固定ボルトによって固定される固定板を有すると共に、前記下側フランジ部の上面部に当接する係止片部を有している。
このため、前記係止片部を前記下側フランジ部の上面部に当接させながら、該床段差調整具を外側方から、前記梁材に当接させ、前記固定板を前記固定ボルトを用いて前記上側フランジ部に固定すると、該床段差調整具を、前記梁材の対向面側に装着出来る。
【００１２】
また、前記請求項２記載の発明は、請求項１記載の床段差調整具において、前記建物構造体が、水平方向に互いに対向して隣接する床構造体であることを特徴とする。
【００１３】
前記請求項２記載の発明において、床構造体としては、床梁、床パネルのいずれであってもよい。
【００１４】
このように構成された請求項２に記載のものでは、さらに、前記建物構造体が、水平方向に互いに対向して隣接する床構造体であるから、床段差調整具が床面に近接し、床段差の調整が容易となる。
【００１５】
そして、請求項３記載の発明は、請求項１または２記載の床段差調整具において、前記調整手段が、一方の固定板に挿通・螺合された軸部先端で他方の固定板を押し下げる押しボルトと、一方の固定板に頭部が回動自在に係止されると共に軸部が他方の固定板に挿通・螺合され、軸部の回動によって他方の固定板を引き上げる引きボルトとからなることを特徴とする。
【００１６】
このように構成された請求項３記載のものでは、前記固定板の調整手段である押しボルト、引きボルトによって、床段差を解消できるという作用に加えて、さらに、挿通・螺合された押しボルト、引きボルトで一対の固定板同士が連結され、これによって、隣接する建物構造体同士、もしくは床構造体同士を強固に固定する。
【００１７】
その結果、隣接する建物構造体同士が一体化して剛性と重量を増すことで、建物構造体の上下、及び水平方向の振動を抑えることができる。
【００１８】
更に、請求項４記載の発明は、請求項１または２記載の床段差調整具において、前記調整手段が、両固定板に挿通・螺合されて両固定板を連結するネジ棒と、工具で回動可能になされたネジ棒の上端部から螺入されたナットとからなり、前記一方の固定板に螺合されるネジ部が、他方の固定板に螺合されるネジ部に対して逆ネジになされていることを特徴とする。
【００１９】
このように構成された請求項４に記載のものでは、前記調整手段が、両固定板に挿通・螺合されて両固定板を連結するネジ棒と、工具で回動可能となされたネジ棒の上端部から螺入されたナットとからなり、前記一方の固定板に螺合されるネジ部が、他方の固定板に螺合されるネジ部に対して逆ネジになされているので、ナットを緩めた状態でネジ棒を回動すると、固定板の上下方向の相対位置を狭めたり広げたりして位置調整できる。
【００２０】
この調整手段によって固定板の上下方向の相対位置を調整すれば、固定板を固着する建物構造体の上下方向の相対位置も調整される。
【００２１】
前記調整によって、建物構造体に支持される床面間に、床部材の精度や取付け精度の違いによって床段差が生じても、この床段差を解消できる。
【００２２】
さらに、両固定板を連結するネジ棒に、ネジ棒の上端部から螺入されたナットを締め付けると、隣接する建物構造体同士を強固に固定するので、隣接する建物構造体同士が一体化して剛性と重量を増すことで、建物構造体の上下、及び水平方向の振動を抑えることができる。
【００２８】
また、請求項５に記載されたものでは、前記係止片部と、前記下側フランジ部との間の水平方向の移動を阻止する外れ防止手段が設けられている請求項１記載の床段差調整具を特徴としている。
【００２９】
このように構成された請求項５記載のものでは、前記外れ防止手段によって、前記係止片部と、前記下側フランジ部との間の水平方向の移動が阻止されて、該床段差調整具を安定させて装着させることができる。
【００３０】
また、請求項６に記載されたものでは、前記床段差調整具を複数個、隣接する建物ユニットの床構造体間に沿って取り付け、隣接する建物ユニットの床面間の段差を調整する請求項１乃至５のうちいずれか一項に記載の床段差調整方法を特徴としている。
【００３１】
このように構成された請求項６記載のものでは、前記請求項１乃至５のいずれか一項に記載の床段差調整具を複数個、隣接する建物ユニットの床構造体間に沿って取り付け、隣接する建物ユニットの床面間の段差を調整するので、両建物ユニットに跨がる床面を段差のない連続したものとすることができる。
【００３２】
また、隣接する建物ユニット同士が一体化して剛性と重量を増すことで、建物ユニットの上下、及び水平方向の振動を抑えることができ、耐振動性にすぐれたユニット建物となる。
【００３３】
【発明の実施の形態１】
次に、本発明の実施の形態１を図面を参照しながら説明する。
【００３４】
図１〜図７は本発明の実施の形態１であって、図１（イ）図は床段差調整具の分解斜視図、（ロ）図は（イ）図の床段差調整具を床大梁と共に示す断面図、図２は別の床段差調整具であって、（イ）図は分解斜視図、（ロ）図は組立斜視図、（ハ）図は側面図、図３はユニット建物であって、（イ）図は斜視図、（ロ）図は１階部分の平面図、（ハ）図は２階部分の平面図、図４（イ）図は建物ユニットの斜視図、（ロ）図は床部の断面図、図５は図２に示す床段差調整具の取付け方法を示す説明図であって、（イ）図は床大梁への取付け方法を示す斜視図、（ロ）図はハブボルト取付け部の断面図、（ハ）図は床大梁の斜視図、（ニ）図はポップナットが取り付けられた床大梁の断面図、図６は図２に示す床段差調整具を使用した床段差の調整方法を示す説明図、図７は床段差調整後に行うボルトのロック方法を示す説明図である。
【００３５】
（床段差調整具）
図１と図２に示す本実施の形態１の床段差調整具１は、本質的に同じものであるから、同符号を付けている。
【００３６】
図１に示す床段差調整具１は、水平方向に互いに対向して隣接する床大梁（床構造体）１１，１１間に取り付けられ、この床大梁１１に支持される床面１６間の段差Ｈを調整するものである。
【００３７】
ここで、床大梁１１（床構造体）は、後述する建物ユニット１０の骨組み構造体を構成するものであって、Ｃ型鋼で形成されている。
【００３８】
前記床段差調整具１は、隣接するそれぞれの床大梁１１に上下方向の相対位置をずらして固着される一対の固定板２，３と、これら固定板２，３の上下方向の相対位置を調整する調整手段とを備えている。
【００３９】
前記固定板２，３は、いずれも、これら固定板２、３と直交して設けられた取付け板４，４を介して床大梁１１の側面（開口側）に取り付けられている。そして、取付け板４は、板面に形成されたボルト孔４１に挿入された取付けボルト７，７によって床大梁１１に固着されている。
【００４０】
前記一対の固定板２，３の上面は、いずれも、水平で互いに平行になされている。
【００４１】
前記固定板２，３の上下方向の相対位置を調整する調整手段は、押しボルト５と引きボルト６とからなっている。
【００４２】
上方に位置する一方の固定板２には、押しボルト５を挿通・螺合するネジ孔２１と、引きボルト６を貫通させる通孔２２とが形成されている。また、下方に位置する他方の固定板３には、引きボルト６を挿通・螺合するネジ孔３１が形成されている。
【００４３】
前記押しボルト５は、引きボルト６を弛めておくと、一方の固定板２のネジ孔２１に挿通・螺合された軸部先端で他方の固定板３を押し下げることのできる六角穴付きボルトである。
【００４４】
また、前記引きボルト６は、同じく、六角穴付きボルトであって、一方の固定板２に頭部が回動自在に係止され、軸部が固定板２の通孔２２に挿通されると共に、他方の固定板３のネジ孔３１に挿通・螺合されている。押しボルト５を弛めておくと、この引きボルト６は、軸部の回動によって他方の固定板３を引き上げることができる。
【００４５】
図２に示す床段差調整具１は、本質的に前記図１に示したものと同じであるが、固定板２および固定板３を隣接する床大梁１１、１１に取り付けるために設けられる取付け板４、４を異にするものである。
【００４６】
すなわち、図２（イ）図に示すように、この取付け板４は、固定板２または固定板３の両側面を挟むように溶接で取り付けられた対向する一対のＬ型鋼で形成され、使用時には、図２（ロ）図と（ハ）図に示すように、このＬ型の取付け板４，４を互いに嵌合して重ね合わせるようにして組立できるようになっている。
【００４７】
このように、図２に示す床段差調整具１では、固定板２、３の両側面をＬ型鋼で挟持しているので、押しボルト５、引きボルト６によって大きな負荷が固定板２，３に作用しても、その変形を防止できる。そして、嵌合しあっているので、横方向の移動を防止できる。
【００４８】
（床段差調整具の取付け箇所と取付け方法）
次に、前記床段差調整具１の取付け箇所と取付け方法を、図３〜５を参照して説明する。図５では、図２に示した床段差調整具１を図示しているが、図１に示したものであってもよい。
【００４９】
前記本実施例の床段差調整具１は、図３（イ）図に示すユニット建物１００の構築時に使用する。このユニット建物１００は、複数の建物ユニット１０，１０Ａを上下、左右に隣接配置して構築される２階建てのものである。
【００５０】
前記床段差調整具１は、ユニット建物１００の１階部分では、図３（ロ）図に示すように、建物ユニット１０，１０、もしくは建物ユニット１０、１０Ａ間の間仕切り壁のない渡り部Ａに取り付けられる。
【００５１】
また、ユニット建物１００の２階部分では、図３（ハ）図に示すように、前記と同様、建物ユニット１０，１０の渡り部Ｂに取り付けられる。
【００５２】
建物ユニット１０（または建物ユニット１０Ａ）は、図４（イ）図に示すように、直方体形状の骨組み構造体を有し、四本の柱１２と、柱１２の下端部間に架け渡された４本の床大梁１１と、柱１２の上端部間に架け渡された４本の天井梁１３とから、箱型に組まれている。
【００５３】
前記建物ユニット１０の床部は、図４（ロ）図に示すように、Ｃ型鋼でなる床大梁１１間に架け渡された山型形状の型鋼でなる床根太１４と、この床根太１４の上に貼設された合板等の床面材１５とによって形成されている。
【００５４】
床段差調整具１は、隣接する建物ユニット１０、１０の渡り部Ａ、または渡り部Ｂの床大梁１１，１１間に挿入して取り付けられる。
【００５５】
この際、床段差調整具１は、図５（イ）図に示すように、一方の固定板２と他方の固定板３とを上下に合わせ、押しボルト５、引きボルト６を取り付けて組み立てた状態で床大梁１１，１１間に挿入する。
【００５６】
床段差調整具１の取付け箇所は、床大梁１１の長手方向に沿って、床段差をなくすために必要なピッチ（例えば、１〜２ｍ間隔）で取り付ける。
【００５７】
また、床段差の大きい箇所に取り付けて調整を行い、他の部分における床段差が解消された場合は、他の部分への取り付けは省略してもよい。
【００５８】
そして、床大梁１１，１１間に挿入した床段差調整具１の取り付け板４を取付けボルト７により床大梁１１に固定する。
【００５９】
この際、取付けボルト７の芯ずれをなくすために、図５（ロ）図に示すように、頭部が円錐台状のハブボルトを使用する。
【００６０】
また、この取付けボルト７で取付け板４を床大梁１１に固着するため、図５（ハ）図に示すように、予め、床大梁１１にはポップナット７１をかしめて取り付けておく。
【００６１】
（床段差の調整方法）
次に、前記のようにして取り付けた床段差調整具１を使用した床段差の調整方法について、図６と図７を参照して説明する。
【００６２】
図６に示すように、段差Ｈを有する隣接する床面１６、１６間に直尺（定規）９を当て、引きボルト６を付けた側の床面１６が低い場合は、押しボルト５を弛め、六角レンチ８で引きボルト６を締めて、固定板３を引き上げることで、床面１６の高さを合わせて段差Ｈを解消する。
【００６３】
そして、段差解消後に、図７に示すように、弛めておいた押しボルト５をしっかり締め付けてロックする。
【００６４】
図６とは逆で、押しボルト５を付けた側の床面１６が低い場合は、引きボルト６を弛め、押しボルト５を締めて、固定板２を相対的に引き上げることで、床面１６の高さを合わせて段差を解消する。
【００６５】
そして、段差解消後に、前記と同様、弛めておいた引きボルト６をしっかり締め付けてロックする。
【００６６】
次に、この実施の形態１の作用について説明する。
【００６７】
この実施の形態１の床段差調整具１によると、隣接するそれぞれの床大梁１１に上下方向の相対位置をずらして固着される一対の固定板２，３と、これら固定板２，３の上下方向の相対位置を調整する調整手段である押しボルト５、引きボルト６とを備えているので、この調整手段によって固定板２、３の上下方向の相対位置を調整すれば、固定板２、３を固着する床大梁１１、１１の上下方向の相対位置も調整される。
【００６８】
前記調整によって、床大梁１１の上に取り付けられる床根太１４や床面材１５の精度や取付け精度の違いによって生じる床段差Ｈを解消できる。
【００６９】
さらに、挿通・螺合された押しボルト５、引きボルト６で一対の固定板２，３同志が連結され、これによって、隣接する床大梁１１、１１同志を強固に固定する。
【００７０】
その結果、隣接する建物ユニット１０、１０同志が一体化して剛性と重量を増すことで、建物ユニット１０の上下、及び水平方向の振動を抑えることができる。
【００７１】
そして、実施の形態１の床段差調整方法によると、前記床段差調整具１を複数個、隣接する建物ユニット１０の床大梁１１間に沿って取り付け、隣接する建物ユニット１０の床面１６間の段差を調整するので、両建物ユニット１０、１０に跨がる床面１６を段差のない連続したものとすることができる。
【００７２】
また、隣接する床大梁１１同志が一体化して剛性と重量を増すことで、建物ユニット１０の上下、及び水平方向の振動を抑えることができるので、耐振動性にすぐれたユニット建物１００となる。
【００７３】
【変形例１】
図８は、本発明の実施の形態１の変形例１を示すものであって、床大梁と共に示す床段差調整具の断面図である。
【００７４】
変形例において、前記実施の形態１と同じものには同符号を付けて説明を省略し、異なるものには別符号を付けて説明する。
【００７５】
符号１Ａは床段差調整具であって、この床段差調整具１Ａは、図８に示すように、前記実施例と同様、水平方向に互いに対向して隣接する床大梁１１，１１間に取り付けられ、これら床大梁１１に支持される床面１６間の段差を調整するものである。
【００７６】
前記床段差調整具１Ａは、隣接するそれぞれの床大梁１１に上下方向の相対位置をずらして固着される一対の固定板２Ａ，３Ａと、固定板２Ａ，３Ａを床大梁１１に取り付けるための取付け板４Ａ，４Ａと、これら固定板２Ａ，３Ａの上下方向の相対位置を調整する調整手段とを備えている。
【００７７】
前記調整手段は、両固定板２Ａ，３Ａに挿通・螺合されて両固定板２Ａ，３Ａを連結するネジ棒５Ａと、工具（不図示）で回動可能になされたネジ棒５Ａの上端部５１Ａから螺入されたナット６Ａとからなり、前記一方の固定板２Ａに螺合されるネジ部５２Ａが、他方の固定板３Ａに螺合されるネジ部５３Ａに対して逆ネジになされている。
【００７８】
前記床段差調整具１Ａを複数個、隣接する建物ユニット１０の床大梁１１間に沿って取り付け、隣接する建物ユニット１０の床面１６間の段差を調整する。
【００７９】
取付け方法と取付け箇所は、前記実施の形態１と同様であるから、説明を省略する。
【００８０】
実施の形態１の床段差調整具１Ａによると、一方の固定板２Ａに螺合されるネジ部５２Ａが、他方の固定板３Ａに螺合されるネジ部５３Ａに対して逆ネジになされているので、ナット６Ａを緩めた状態でネジ棒５Ａを回動すると、固定板２Ａ、３Ａの上下方向の相対位置を狭めたり広げたりして位置調整できる。
【００８１】
この調整手段によって固定板２Ａ，３Ａの上下方向の相対位置を調整すれば、固定板２Ａ，３Ａを固着する床大梁１１，１１の上下方向の相対位置も調整される。
【００８２】
前記調整によって、床大梁１１の上に取り付けられる床根太１４や床面材１５の精度や取付け精度の違いによって生じる床段差を解消できる。
【００８３】
さらに、両固定板２Ａ，３Ａを連結するネジ棒５Ａに、ネジ棒５Ａの上端部５１Ａから螺入されたナット６Ａを締め付けると、隣接する床大梁１１、１１同士を強固に固定するので、隣接する建物ユニット１０，１０同士が一体化して剛性と重量を増すことで、建物ユニット１０，１０の上下、及び水平方向の振動を抑えることができる。
【００８４】
【変形例２】
図９乃至図１６は、この発明の実施の形態１の変形例２の床段差調整具を示すものである。なお、前記実施の形態１と同一乃至均等な部分については同一符号を付して説明する。
【００８５】
まず、建物構造体側から説明すると、この変形例２では、図１４に示すように、建物構造体としての下階天井部１１０ａを構成する天井端根太１０１の側面１０１ａが、所定間隔を置いて複数のＬ字アングル材１０２，１０２に固着されて取り付けられている。
【００８６】
このＬ字アングル材１０２，１０２の支持面部１０２ａ，１０２ａには、図１５に示す柱部材１０３，１０３間に掛け渡された梁材としての床大梁１１１の下側フランジ部１１１ｂが載置されている。
【００８７】
これらの支持面部１０２ａ，１０２ａ及び下側フランジ部１１１ｂに形成された挿通孔には、低頭六角ボルト部材１０８が下方から上方に向けて挿通されていて、防振ゴム１０９ａ及び座金１０９ｂを介在させて、ナット部材１０９ｃを螺合させることにより、支持面部１０２ａ及び下側フランジ部１１１ｂ間の振動が吸収されるように結合されている。
【００８８】
この床大梁１１１は、一対の前記下側フランジ部１１１ｂと、上側フランジ部１１１ａとが、基板部１１１ｃから外側方に向けて略水平に突設されていて、床段差を相互に調整する相手側の床構造体への対向面側を開放して断面略コ字状を呈するように構成されている。
【００８９】
この基板部１１１ｃは、固定ボルト１０７によって上階床部１１０を構成する床端根太１０６の側面１０６ａに固定されている。
【００９０】
また、この側面部１０６ａには、上部クランク状部材１０５が固着されていて、この床大梁１１１の上側フランジ部１１１ａに当接されることにより、前記Ｌ字アングル材１０２，１０２と、この上部クランク状部材１０５とによって、この床大梁１１１が、上下方向から挟持されるように構成されている。
【００９１】
このうち、図１５に示すように、前記上部クランク状部材１０５には、長手方向に沿って所定間隔を置いて、固定孔１０５ａ，１０５ａが、複数組形成されている。
【００９２】
次に、この変形例２の床段差調整具１１２，１１３の構成について説明する。
【００９３】
この変形例２の床段差調整具１１２，１１３は、調整具本体１１２ａ，１１３ａに一体に形成される前記固定板２，３を、外側方に向けて対向させつつ、前記床大梁１１１に対して、両上階床部１１０，１１０の間に、上方から挿入すると共に、外側方側から当接させて装脱着可能とするように構成されている。
【００９４】
この床段差調整具１１２，１１３には、着脱手段としての固定板１１４，１１５及び、係止片部１１６，１１７が設けられている。
【００９５】
このうち、固定板１１４，１１５には、前記上側フランジ部１１１ｂ，１１１ｂ及び前記上部クランク状部材１０５，１０５に形成された固定孔１１１ｄ，１１１ｄ及び１０５ａ，１０５ａと適合する位置に、ボルト挿通孔１１４ａ，１１５ａが形成されている。
【００９６】
そして、前記上部クランク部材１０５，１０５と固定板１１４，１１５との間には、各々２枚のスペーサ部材１１８，１１８が、各々介在されると共に、前記各ボルト挿通孔１１４ａ，１１５ａと、固定孔１０５ａ，１０５ａ及び固定孔１１１ｄ，１１１ｄとには、ボルト部材１１９，１１９が、ワッシャ部材１２０，１２０を介在させて上方から挿通されて、下方からナット部材１２１，１２１が螺着されることにより、これらの上側フランジ部１１１ａ，１１１ａと、前記固定板１１４，１１５との間が固定されるように構成されている。
【００９７】
また、前記係止片部１１６，１１７は、前記下側フランジ部１１１ｂ，１１１ｂの上面部に各々当接して係止されるように構成されている。
【００９８】
更に、この変形例２では、前記固定板２に比して固定板３が、幅広となるように構成されていて、各固定板２，３の左，右両側縁に、補強用側壁部１２２，１２２及び１２３，１２３が各々一体に設けられている。
【００９９】
また、この変形例２では、前記係止片部１１６，１１７と、前記下側フランジ部１１１ｂ，１１１ｂとの間の水平方向の移動を阻止する外れ防止手段としての木製ブロック片１２４が、前記調整具本体１１２ａ，１１３ａとの間に挟持されるように設けられている。
【０１００】
次に、この変形例２の作用について、前記床段差調整具１１２，１１３の取付順序に沿って、説明する。
【０１０１】
この変形例２の床段差調整具１１２，１１３は、調整具本体１１２ａ，１１３ａに一体に形成される前記固定板２，３を、外側方に向けて対向させつつ、予め配置された上階床部１１０，１１０間に上方から挿入すると共に、両上階床部１１０，１１０の間に位置する前記床大梁１１１，１１１に対して、外側方側から当接させて装着する。
【０１０２】
この際、前記上部クランク状部材１０５の長手方向に沿って所定間隔を置いて形成された固定孔１０５ａ，１０５ａのうちいずれかの位置で、前記係止片部１１７，１１７を前記下側フランジ部１１１ｂ，１１１ｂの上面部に当接させながら、この床段差調整具１１２，１１３を各々外側方から、前記床大梁１１１，１１１の上，下フランジ部１１１ａ，１１１ｂ端縁に当接させて位置決めを行い、前記各固定板２，３を前記固定ボルト１１９，１１９を用いて前記上側フランジ部１１１ａ，１１１ａに固定する。
【０１０３】
これらの固定ボルト１１９，１１９は、上方から前記ワッシャ部材１２０，１２０を介在させて、前記ボルト挿通孔１１４ａ，１１５ａ、前記２枚の各スペーサ部材１１８，１１８、前記固定孔１０５ａ，１０５ａ、及び前記上側フランジ部１１１ａ，１１１ａに形成された固定孔１１１ｄ，１１１ｄに挿通されてナット部材１２１，１２１によって螺合固定されるので、何れの位置の固定孔１０５ａ，１０５ａにも、前記床段差調整具１１２，１１３を、前記床大梁１１１，１１１の対向面側に容易に装着出来る。
【０１０４】
従って、床段差を調整する位置を変更できるので、前記上階床部１１０及び下階天井部１１０ａを配置した状態で、必要に応じて適宜前記床段差調整具１１２，１１３を装着して、段差を調整できる。
【０１０５】
また、この変形例２では、前記木製ブロック片１２４が、前記調整具本体１１２ａと調整具本体１１３ａとの間に挟持されているので、前記係止片部１１６，１１７と、前記下側フランジ部１１１ｂ，１１１ｂとの間の水平方向の移動が阻止されて、前記係止片部１１６，１１７が、前記下側フランジ部１１１ｂ，１１１ｂから外れにくい。
【０１０６】
このため、前記床段差調整具１１２，１１３を安定させて装着させることができる。
【０１０７】
更に、この変形例２では、前記固定板２，３の左，右両側縁に、補強用側壁部１２２，１２２及び１２３，１２３が各々一体に設けられているので、前記押しボルト５及び引きボルト６による調整量が、直接、前記各上階床部１１０，１１０間の調整量に反映される。
【０１０８】
そして、この変形例２では、前記上部クランク部材１０５，１０５と固定板１１４，１１５との間には、各々２枚のスペーサ部材１１８，１１８を介在させているが、これらのスペーサ部材１１８，１１８の枚数を変更することにより、前記床大梁１１１の上，下側フランジ部１１１ａ，１１１ｂ間の距離の相違するバリエーションにも対応させることができる。
【０１０９】
他の構成及び作用効果については、前記実施の形態１と略同様であるので、説明を省略する。
【０１１０】
【変形例３】
図１７乃至図１９は、この発明の実施の形態１の変形例３の床段差調整具を示すものである。なお、前記変形例２と同一乃至均等な部分については同一符号を付して説明する。
【０１１１】
この変形例３の床段差調整具２１２，２１３では、係止片部２１６，２１７が、変形例２の係止片部１１６，１１７よりも、天井端根太１０１，１０１方向に延設されて、前記係止片部２１６，２１７と、前記下側フランジ部１１１ｂ，１１１ｂとの間の水平方向の移動を阻止する外れ防止手段としてのピン部材２１８，２１８が各々挿通されるピン孔２１９，２１９及び２１９，２１９が各々形成されている。
【０１１２】
また、前記床大梁１１１，１１１の下側フランジ部１１１ｂ，１１１ｂ及びＬ字アングル材１０２，１０２の支持面部１０２ａ，１０２ａにも、このピン孔２１９，２１９と適合する位置に、各々ピン孔２２０，２２０及び２２１，２２１が設けられている。
【０１１３】
次に、この変形例３の作用について、説明する。この変形例３では、前記変形例２の作用効果に加えて、更に、前記ピン部材２１８，２１８が各々、前記係止片部２１６，２１７のピン孔２１９，２１９及び、下側フランジ部１１１ｂ，１１１ｂのピン孔２２０，２２０及び、Ｌ字アングル材１０２，１０２のピン孔２２１，２２１に上方から挿通される。
【０１１４】
このため、前記係止片部２１６，２１７と、前記下側フランジ部１１１ｂ，１１１ｂとの間の水平方向の移動が阻止されて、前記係止片部２１６，２１７が、前記下側フランジ部１１１ｂ，１１１ｂから外れにくくなり、前記床段差調整具２１２，２１３を安定させて装着させることができる。
【０１１５】
他の構成及び作用効果については、前記実施の形態１及び変形例２と略同様であるので、説明を省略する。
【０１１６】
【変形例４】
図２０は、この発明の実施の形態１の変形例４の床段差調整具を示すものである。なお、前記変形例２，３と同一乃至均等な部分については同一符号を付して説明する。
【０１１７】
この変形例４の床段差調整具では、外れ防止手段としての変形例３の前記ピン部材２１８，２１８に代えて、Ｌ字アングル材１０２，１０２の下方から上方へ向けて、ピン孔２１９，２１９等に挿通される低頭ボルト部材２２１，２２１と、ワッシャ部材２２２，２２２を介在させると共に、このボルト部材２２１，２２１の雄ネジ部に螺合して固定されるナット部材２２３，２２３とが設けられている。
【０１１８】
次に、この変形例４の作用について、説明する。この変形例４では、前記変形例１乃至３の作用効果に加えて、更に、前記低頭ボルト部材２２１，２２１の雄ネジ部が、前記ワッシャ部材２２２，２２２を介在させて、前記ナット部材２２３，２２３の雌ネジ部と螺合して、前記係止片部２１６，２１７を下側フランジ部１１１ｂ，１１１ｂ及びＬ字アングル材１０２，１０２の支持面部１０２ａ，１０２ａに固定する。
【０１１９】
このため、前記ピン孔２１９，２１９等に挿通しやすいように遊びがあっても、前記係止片部２１６，２１７が、下側フランジ部１１１ｂ，１１１ｂ及びＬ字アングル材１０２，１０２の支持面部１０２ａ，１０２ａに強固に固定され、動きが拘束される。
【０１２０】
他の構成及び作用効果については、前記実施の形態１及び変形例２，３と略同様であるので、説明を省略する。
【０１２１】
以上、本発明の実施の形態１及び各変形例１乃至４を図面に基づいて説明してきたが、本発明は、前記実施の形態１に限定されるものでなく、本発明の要旨を変更しない範囲の設計変更があっても、本発明に含まれる。
【０１２２】
例えば、実施の形態１の床段差調整具１、１Ａは、いずれも、隣接する軸組式の建物ユニット１０の床構造体である床大梁１１間に取付けられたが、パネル工法の建物や、建物ユニットが壁式工法の場合には、床パネル間に取り付けられてもよい。
【０１２３】
あるいはまた、建物ユニット１０の天井梁１３間や、床大梁１１と天井梁１３との間の柱１２間に取り付けるようにしてもよい。
【０１２４】
【発明の効果】
以上、上述してきた様に、請求項１に記載のものでは、隣接するそれぞれの建物構造体に上下方向の相対位置をずらして固着される一対の固定板と、これら固定板の上下方向の相対位置を調整する調整手段とを備えているので、この調整手段によって固定板の上下方向の相対位置を調整すれば、固定板を固着する建物構造体の上下方向の相対位置も調整される。
【０１２５】
前記調整によって、建物構造体に支持される床面間に、床部材の精度や取付け精度の違いによって床段差が生じても、この床段差を解消できる。
また、前記着脱手段によって、前記固定板が前記建物構造体に対して装脱着される。
このため、床段差を調整する位置を変更できるので、必要に応じて適宜前記床段差調整具を装着して、段差を調整できる。
更に、前記着脱手段は、前記建物構造体の床構造体側縁部に設けられ、上，下側フランジ部を少なくとも一対、外側方に略水平に突設することにより、対向面側を開放して断面略コ字状を呈する梁材に対して、外側方から当接して、前記上側フランジ部に対しては固定ボルトによって固定される固定板を有すると共に、前記下側フランジ部の上面部に当接する係止片部を有している。
このため、前記係止片部を前記下側フランジ部の上面部に当接させながら、該床段差調整具を外側方から、前記梁材に当接させ、前記固定板を前記固定ボルトを用いて前記上側フランジ部に固定すると、該床段差調整具を、前記梁材の対向面側に装着出来る。
【０１２６】
また、請求項２に記載されたものは、使用時には、取り付け板を互いに嵌合して重ね合わせるようにして組立できるようになっている。
このように、固定板の両側面に溶接されている取り付け板が勘合しあっているので、調整手段によって大きな負荷が固定板に作用しても、横方向の移動を防止できる。
【０１２７】
そして、請求項３記載のものでは、前記固定板の調整手段である押しボルト、引きボルトによって、床段差を解消できるという作用に加えて、さらに、挿通・螺合された押しボルト、引きボルトで一対の固定板同士が連結され、これによって、隣接する建物構造体同士、もしくは床構造体同士を強固に固定する。
【０１２８】
その結果、隣接する建物構造体同士が一体化して剛性と重量を増すことで、建物構造体の上下、及び水平方向の振動を抑えることができる。
【０１２９】
更に、請求項４記載のものでは、前記調整手段が、両固定板に挿通・螺合されて両固定板を連結するネジ棒と、工具で回動可能となされたネジ棒の上端部から螺入されたナットとからなり、前記一方の固定板に螺合されるネジ部が、他方の固定板に螺合されるネジ部に対して逆ネジになされているので、ナットを緩めた状態でネジ棒を回動すると、固定板の上下方向の相対位置を狭めたり広げたりして位置調整できる。
【０１３０】
この調整手段によって固定板の上下方向の相対位置を調整すれば、固定板を固着する建物構造体の上下方向の相対位置も調整される。
【０１３１】
前記調整によって、建物構造体に支持される床面間に、床部材の精度や取付け精度の違いによって床段差が生じても、この床段差を解消できる。
【０１３２】
さらに、両固定板を連結するネジ棒に、ネジ棒の上端部から螺入されたナットを締め付けると、隣接する建物構造体同士を強固に固定するので、隣接する建物構造体同士が一体化して剛性と重量を増すことで、建物構造体の上下、及び水平方向の振動を抑えることができる。
【０１３６】
また、請求項５に記載されたものでは、前記外れ防止手段によって、前記係止片部と、前記下側フランジ部との間の水平方向の移動が阻止されて、該床段差調整具を安定させて装着させることができる。
【０１３７】
そして、請求項６に記載されたものでは、前記請求項１乃至５のいずれか一項に記載の床段差調整具を複数個、隣接する建物ユニットの床構造体間に沿って取り付け、隣接する建物ユニットの床面間の段差を調整するので、両建物ユニットに跨がる床面を段差のない連続したものとすることができる。
【０１３８】
また、隣接する建物ユニット同志が一体化して剛性と重量を増すことで、建物ユニットの上下、及び水平方向の振動を抑えることができ、耐振動性にすぐれたユニット建物となる、という実用上有益な効果を発揮する。
【図面の簡単な説明】
【図１】本発明の実施の形態１の床段差調整具であって、（イ）図は床段差調整具の分解斜視図、（ロ）図は（イ）図の床段差調整具を床大梁と共に示す断面図である。
【図２】別の床段差調整具であって、（イ）図は分解斜視図、（ロ）図は組立斜視図、（ハ）図は側断面図である。
【図３】ユニット建物であって、（イ）図は斜視図、（ロ）図は１階部分の平面図、（ハ）図は２階部分の平面図である。
【図４】（イ）図は建物ユニットの斜視図、（ロ）図は床部の断面図である。
【図５】図２に示す床段差調整具の取付け方法を示す説明図であって、（イ）図は床大梁への取付け方法を示す斜視図、（ロ）図はハブボルト取付け部の断面図、（ハ）図は床大梁の斜視図、（ニ）図はポップナットが取り付けられた床大梁の断面図である。
【図６】図２に示す床段差調整具を使用した床段差の調整方法を示す説明図である。
【図７】床段差調整後に行うボルトのロック方法を示す説明図である。
【図８】本発明の実施の形態１の変形例１の床段差調整具であって、床大梁と共に示す床段差調整具の断面図である。
【図９】本発明の実施の形態１の変形例２の床段差調整具であって、床段差調整具を床大梁に装着する様子を説明する分解斜視図である。
【図１０】変形例２の床段差調整具を床大梁に装着した様子を説明する上面図である。
【図１１】変形例２の床段差調整具を床大梁に装着した様子を説明する断面図である。
【図１２】変形例２の一方の床段差調整具で、（ａ）図は床段差調整具の上面図、（ｂ）図は正面図、（ｃ）図は、（ｂ）図のＢ−Ｂ線に沿った位置での断面図である。
【図１３】変形例２の他方の床段差調整具で、（ａ）図は床段差調整具の上面図、（ｂ）図は正面図、（ｃ）図は、（ｂ）図のＣ−Ｃ線に沿った位置での断面図である。
【図１４】変形例２の床段差調整具を装着する下階天井部の分解斜視図である。
【図１５】変形例２の床段差調整具を装着する床部の大床梁の斜視図である。
【図１６】変形例２で、床部の大床梁の構成を示し、図１５中Ｆ−Ｆ線に沿った位置での断面図である。
【図１７】変形例３の床段差調整具を床大梁に装着した様子を説明する断面図である。
【図１８】変形例３の一方の床段差調整具で、（ａ）図は床段差調整具の上面図、（ｂ）図は正面図、（ｃ）図は、（ｂ）図のＤ−Ｄ線に沿った位置での断面図である。
【図１９】変形例３の他方の床段差調整具で、（ａ）図は床段差調整具の上面図、（ｂ）図は正面図、（ｃ）図は、（ｂ）図のＥ−Ｅ線に沿った位置での断面図である。
【図２０】変形例４の床段差調整具を床大梁に装着した様子を説明する断面図である。
【符号の説明】
１，１Ａ，１１２，１１３
床段差調整具
２，２Ａ        一方の固定板
３，３Ａ        他方の固定板
５              押しボルト
５Ａ            ネジ棒
６              引きボルト
１０            建物ユニット（建物構造体）
１１，１１１    床大梁（床構造体）
１６            床面
１１４，１１５  固定板
１１６，１１７  係止片部
外れ防止手段
１２４          木製ブロック片
２１８，２１８  ピン部材
２２１，２２１  低頭ボルト部材
２２３，２２３  ナット部材
【図１】
0004669620.tif 000002
【図２】
0004669620.tif 000003
【図３】
0004669620.tif 000004
【図４】
0004669620.tif 000005
【図５】
0004669620.tif 000006
【図６】
0004669620.tif 000007
【図７】
0004669620.tif 000008
【図８】
0004669620.tif 000009
【図９】
0004669620.tif 000010
【図１０】
0004669620.tif 000011
【図１１】
0004669620.tif 000012
【図１２】
0004669620.tif 000013
【図１３】
0004669620.tif 000014
【図１４】
0004669620.tif 000015
【図１５】
0004669620.tif 000016
【図１６】
0004669620.tif 000017
【図１７】
0004669620.tif 000018
【図１８】
0004669620.tif 000019
【図１９】
0004669620.tif 000020
【図２０】
0004669620.tif 000021